(57)【要約】【課題】現像剤収容部内の現像剤量が少なくなったときに排出口から現像装置へ排出される現像剤量の減少を抑制することができる現像剤収容容器、現像剤補給装置、プロセスカートリッジ及び画像形成装置を提供する。【解決手段】現像剤を収納する現像剤収容部８と、現像剤収容部８内の現像剤を現像装置へ排出する排出口４４ａと、現像剤収容部内の現像剤を排出口へ搬送するための現像剤搬送路４４と、現像剤収容部内の現像剤を現像剤搬送路へ供給する供給口４４ｂと、現像剤搬送路内に配置され、現像剤を排出口へ搬送する搬送部材４３と、現像剤搬送路と現像剤収容部とを仕切る仕切り部材４５と、仕切り部材４５に設けられ、現像剤搬送路と現像剤収容部とを連通する連通口４５ｄとを備えた現像剤収容容器において、連通口４５ｄを、排出口４４ａと供給口４４ｂとの間に設けた。【選択図】図３
2020086132.tif 000002
【特許請求の範囲】
【請求項１】
現像剤を収納する現像剤収容部と、
前記現像剤収容部内の現像剤を現像装置へ排出する排出口と、
前記現像剤収容部内の現像剤を前記排出口へ搬送するための現像剤搬送路と、
前記現像剤収容部内の現像剤を前記現像剤搬送路へ供給する供給口と、
前記現像剤搬送路内に配置され、現像剤を前記排出口へ搬送する搬送部材と、
前記現像剤搬送路と前記現像剤収容部とを仕切る仕切り部材と、
前記仕切り部材に設けられ、前記現像剤搬送路と前記現像剤収容部とを連通する連通口と、を備えた現像剤収容容器において、
前記連通口を、前記排出口と前記供給口との間に設けたことを特徴とする現像剤収容容器。
【請求項２】
請求項１に記載の現像剤収容容器において、
前記連通口は、連通方向と直交する方向が縁部で囲われた穴形状であることを特徴とする現像剤収容容器。
【請求項３】
請求項１または２に記載の現像剤収容容器において、
前記連通口の現像剤搬送方向長さが、前記排出口の現像剤搬送方向長さよりも短いことを特徴とする現像剤収容容器。
【請求項４】
請求項１乃至３いずれか一項に記載の現像剤収容容器において、
前記搬送部材は、軸部と少なくとも前記供給口に供給された現像剤を前記排出口へ搬送するための螺旋状の羽部とを有しており、
前記連通口の現像剤搬送方向長さが、前記羽部の１ピッチよりも短いことを特徴とする現像剤収容容器。
【請求項５】
請求項４に記載の現像剤収容容器において、
前記羽部の１ピッチは、前記排出口の現像剤搬送方向長さよりも長く、
前記排出口の現像剤搬送方向長さは、前記連通口の現像剤搬送方向長さよりも長いことを特徴とする現像剤収容容器。
【請求項６】
現像剤収容容器を備え、
前記現像剤収容容器内の現像剤を現像装置に補給する現像剤補給装置において、
前記現像剤収容容器として、請求項１乃至５いずれか一項に記載の現像剤収容容器を用いたことを特徴とする現像剤補給装置。
【請求項７】
潜像担持体と、
前記潜像担持体上の潜像を現像する現像装置と、
前記現像装置に補給する現像剤を収容した現像剤収容容器とを備え、画像形成装置本体に対して着脱可能に構成されたプロセスカートリッジにおいて、
前記現像剤収容容器として、請求項１乃至５いずれか一項に記載の現像剤収容容器を用いたことを特徴とするプロセスカートリッジ。
【請求項８】
潜像担持体と、
前記潜像担持体上の潜像を現像する現像装置と、
前記現像装置に補給する現像剤を収容した現像剤収容容器とを備えた画像形成装置において、
前記現像剤収容容器として、請求項１乃至５いずれか一項に記載の現像剤収容容器を用いたことを特徴とする画像形成装置。
【発明の詳細な説明】
【技術分野】
【０００１】
本発明は、現像剤収容容器、現像剤補給装置、プロセスカートリッジ及び画像形成装置に関するものである。
【背景技術】
【０００２】
従来、現像剤を収納する現像剤収容部と、現像剤収容部内の現像剤を現像装置へ排出する排出口と、現像剤収容部内の現像剤を排出口へ搬送するための現像剤搬送路と、現像剤収容部内の現像剤を現像剤搬送路へ供給する供給口と、現像剤搬送路内に配置され、現像剤を排出口へ搬送する搬送部材と、現像剤搬送路と現像剤収容部とを仕切る仕切り部材と、仕切り部材に設けられ、現像剤搬送路と現像剤収容部とを連通する連通口とを備えた現像剤収容容器が知られている。
【０００３】
特許文献１には、上記現像剤収容容器として、現像剤搬送内で現像剤が凝集するのを防ぐ目的で、排出口よりも現像剤搬送方向下流側に連通口を設け、排出口から排出されなかった余剰現像剤を上記連通口から現像剤収容部へ還流させるものが記載されている。
【発明の概要】
【発明が解決しようとする課題】
【０００４】
しかしながら、現像剤収容部内の現像剤量が少なくなったときに排出口から現像装置へ排出される現像剤の量が減少するという課題があった。
【課題を解決するための手段】
【０００５】
上述した課題を解決するために、本発明は、現像剤を収納する現像剤収容部と、前記現像剤収容部内の現像剤を現像装置へ排出する排出口と、前記現像剤収容部内の現像剤を前記排出口へ搬送するための現像剤搬送路と、前記現像剤収容部内の現像剤を前記現像剤搬送路へ供給する供給口と、前記現像剤搬送路内に配置され、現像剤を前記排出口へ搬送する搬送部材と、前記現像剤搬送路と前記現像剤収容部とを仕切る仕切り部材と、前記仕切り部材に設けられ、前記現像剤搬送路と前記現像剤収容部とを連通する連通口と、を備えた現像剤収容容器において、前記連通口を、前記排出口と前記供給口との間に設けたことを特徴とするものである。
【発明の効果】
【０００６】
本発明によれば、現像剤収容部内の現像剤量が少なくなったときの排出口から現像装置へ排出される現像剤量の減少を抑制することができる。
【図面の簡単な説明】
【０００７】
【図１】実施形態に係るプリンタを示す概略構成図。
【図２】軸方向と直交する方向に切ったトナーカートリッジの断面図。
【図３】図２の線分αの断面図。
【図４】トナー補給口よりも現像剤搬送方向下流側に連通口を設けた例を示す図。
【図５】トナー補給口の真上に連通口を設けた例を示す図。
【図６】図４に示す構成における現像剤収容部のトナーが少なくなったときのトナー補給量の減少について説明する図。
【図７】図５に示す構成における現像剤収容部のトナーが少なくなったときのトナー補給量の減少について説明する図。
【図８】本実施形態における現像剤収容部のトナーが少なくなったときのトナーの補給と、現像装置から流れてきた空気の流れについて、説明する図。
【発明を実施するための形態】
【０００８】
以下、本発明を適用した画像形成装置として、電子写真方式で画像を形成する電子写真プリンタ（以下、単にプリンタという）について説明する。
図１は、実施形態に係るプリンタを示す概略構成図である。
図１に示すプリンタは、モノクロプリンタである。その装置本体１００には、着脱ユニットとしてのプロセスカートリッジ１が着脱可能に装着されている。プロセスカートリッジ１は、表面に画像を担持する像担持体としての感光体２と、感光体２の表面を帯電させる帯電手段としての帯電ローラ３と、感光体２上の潜像を可視画像化する現像手段としての現像装置４と、感光体２の表面をクリーニングするクリーニング手段としてのクリーニングブレード５等を備える。また、感光体２の周囲には表面を露光する露光手段としてのＬＥＤヘッドアレイ６が配設されている。
【０００９】
また、プロセスカートリッジ１には、現像剤収容容器としてのトナーカートリッジ７が着脱可能に設けられている。トナーカートリッジ７は、その容器本体２２に、現像装置４へ補給する現像剤であるトナーを収容する現像剤収容部８を有する。さらに、本実施形態のトナーカートリッジ７は、クリーニングブレード５で除去されたトナー（廃トナー）を回収する現像剤回収部９も一体的に有している。
【００１０】
また、プリンタは、転写体としての用紙に画像を転写する転写ユニット１０と、用紙を供給する給紙装置１１と、用紙に転写された画像を定着させる定着装置１２と、用紙を装置外へ排出する排紙装置１３とを備える。
【００１１】
転写ユニット１０は、転写フレーム３０に回転自在に支持された転写部材としての転写ローラ１４を備える。転写ローラ１４は、プロセスカートリッジ１を装置本体１００に装着した状態で感光体２と当接しており、両者の当接部において転写ニップが形成されている。また、転写ローラ１４は、電源に接続されており、所定の直流電圧（ＤＣ）及び／又は交流電圧（ＡＣ）が印加されるようになっている。
【００１２】
給紙装置１１は、用紙Ｐを収容した給紙カセット１５や、給紙カセット１５に収容されている用紙Ｐを給送する給紙ローラ１６を備える。また、給紙ローラ１６に対して用紙搬送方向下流側には、搬送タイミングを計って用紙を二次転写ニップへ搬送するタイミングローラとしての一対のレジストローラ１７が設けてある。なお、用紙Ｐには、厚紙、はがき、封筒、普通紙、薄紙、塗工紙（コート紙やアート紙等）、トレーシングペーパ等も含まれる。また、用紙以外の記録媒体として、ＯＨＰシートやＯＨＰフィルム等を用いることも可能である。
【００１３】
定着装置１２は、定着部材としての定着ローラ１８と、加圧部材としての加圧ローラ１９とを備える。定着ローラ１８は、定着ローラ内部に設置された赤外線ヒータ２３によって加熱されるようになっている。加圧ローラ１９は、定着ローラ１８側へ加圧されて定着ローラ１８に当接し、その当接箇所において定着ニップが形成されている。
【００１４】
排紙装置１３は、一対の排紙ローラ２０を備える。排紙ローラ２０によって装置外に排出された用紙は、装置本体１００の上面を凹ませて形成された排紙トレイ２１上に積載されるようになっている。
【００１５】
続いて、図１を参照して、本実施形態に係るプリンタの基本的動作について説明する。作像動作が開始されると、プロセスカートリッジ１の感光体２が図１の時計回りに回転駆動され、帯電ローラ３によって感光体２の表面が所定の極性に一様に帯電される。外部の機器から入力される画像情報に基づいて、ＬＥＤヘッドアレイ６から感光体２の帯電面に光が照射されて、感光体２の表面に静電潜像が形成される。
【００１６】
このように感光体２上に形成された静電潜像に、現像装置４によってトナーが供給されることにより、静電潜像はトナー画像として顕像化（可視像化）される。
【００１７】
また、作像動作が開始されると、転写ローラ１４が回転駆動し、転写ローラ１４に、所定の直流電圧（ＤＣ）及び／又は交流電圧（ＡＣ）が印加されることによって、転写ローラ１４と感光体２との間において転写電界が形成される。
【００１８】
装置本体１００の下部では、給紙ローラ１６が回転駆動を開始し、給紙カセット１５から用紙Ｐが送り出される。送り出された用紙Ｐは、レジストローラ１７によって搬送を一旦停止される。
【００１９】
その後、所定のタイミングでレジストローラ１７の回転駆動を開始し、感光体上のトナー画像が転写ニップに達するタイミングに合わせて、用紙Ｐを転写ニップへ搬送する。そして、上記転写電界によって、感光体２上のトナー画像が転写体たる用紙Ｐ上に一括して転写される。また、用紙Ｐに転写しきれなかった感光体上の残留トナーは、クリーニングブレード５によって除去され、除去されたトナーは、現像剤回収部９へ搬送され回収される。
【００２０】
その後、トナー画像が転写された用紙Ｐは、定着装置１２へと搬送され、定着装置１２において用紙Ｐ上のトナー画像が当該用紙Ｐに定着される。そして、用紙Ｐは、一対の排紙ローラ２０によって装置外に排出され、排紙トレイ２１上にストックされる。
【００２１】
また、装置本体１００の側面（図中右側側面）には、図中矢印方向に開閉可能な開閉カバー３７が設けられている。開閉カバー３７は、リンク機構などによりＬＥＤヘッドアレイ６が接続されており、開閉カバー３７の開らく動作にあわせて、ＬＥＤヘッド６が、プロセスカートリッジ１の着脱の邪魔とならない退避位置へ移動するようになっている。これにより、開閉カバー３７を開けることで、開いた開口部から、プロセスカートリッジ１が装置本体から取り出される。
【００２２】
図２は、軸方向と直交する方向に切ったトナーカートリッジ７の断面図である。
図２に示すように、トナーカートリッジ７の容器本体２２には、現像装置４へ補給する現像剤であるトナーを収容する現像剤収容部８と、クリーニングブレード５で除去されたトナー（廃トナー）を回収する現像剤回収部９とを有している。また、容器本体２２には、現像剤収容部８内のトナーを現像装置４へ搬送するための現像剤搬送路４４を有している。
【００２３】
現像剤収容部８には、現像剤収容部内のトナーを攪拌する攪拌部材としての第一アジテータ４１と、第二アジテータ４２とを備えている。各アジテータ４１,４２は、アジテータ軸４１ｂ,４２ｂと、アジテータ軸に取り付けられた樹脂シートからなる羽部４１ａ,４２ａとを備えている。各アジテータ４１,４２は、駆動部によって図の矢印方向（図中時計回り）に回転しながら現像剤収容部内のトナーを攪拌する。
【００２４】
現像剤搬送路４４内には、搬送部材たる搬送スクリュー４３が設けられている。また、現像剤回収部９には、クリーニングブレード５によって除去されたトナーを現像剤回収部９へ搬入する搬入スクリュー９ａが設けられている。
【００２５】
図３は、図２の線分αの断面図である。
図３に示すように、現像剤搬送路４４は、現像剤収容部８の軸方向一端側（図中左側）に設けられている。現像剤搬送路４４は、仕切り部材としての仕切り部４５により現像剤収容部８を仕切ることで形成されている。現像剤搬送路４４の軸方向他端には、現像剤収容部内トナーが供給されるトナー供給口４４ｂが設けられている。また、現像剤搬送路４４には、現像剤収容部内のトナーを、現像装置４へ補給する排出口としてのトナー補給口４４ａが設けられている。
【００２６】
搬送スクリュー４３は、現像剤搬送路４４を貫通しており、軸部４３Ｂと、トナーを図中矢印Ｂ１方向に搬送する（トナーをトナー供給口４４ｂからトナー補給口４４ａへ搬送する）螺旋状の第一羽部４３ａ１と、トナー補給口４４ａよりも軸方向一端側（図中左側）に設けられ、現像剤搬送路４４内のトナーを図中矢印Ｂ２方向に搬送する（第一羽部４３ａ１の搬送方向とは逆方向に搬送する）螺旋状の第二羽部４３ａ２とを有している。第一羽部４３ａ１のピッチは、第二羽部４３ａ２のピッチよりも大きくなっている。
【００２７】
また、仕切り部４５のトナー補給口４４ａよりも第一羽部４３ａ１によるトナー搬送方向（以下、現像剤搬送方向という）上流側、かつ、トナー供給口４４ｂよりも現像剤搬送方向下流側（トナー供給口４４ｂとトナー補給口４４ａとの間）には、現像剤搬送路４４と現像剤収容部８とを連通する連通口４５ｄが設けられている。
【００２８】
連通口４５ｄは、現像剤搬送路４４と現像剤収容部８との連通方向（図中上下方向）と直交するいずれの方向にも縁を有する（連通方向と直交する方向が縁で囲われた）穴形状である。同様に、トナー補給口４４ａ、トナー供給口４４ｂも連通方向と直交する方向が縁で囲われた穴形状である。
【００２９】
また、トナー補給口４４ａの現像剤搬送方向長さＬ１は、搬送スクリュー４３の第一羽部４３ａ１のピッチＰよりも短くなっている。また、連通口４５ｄの現像剤搬送方向長さＬ２は、トナー補給口４４ａの現像剤搬送方向長さＬ１よりも短くなっている。すなわち、本実施形態では、第一羽部４３ａ１のピッチＰ＞トナー補給口４４ａの現像剤搬送方向長さＬ１＞連通口４５ｄの現像剤搬送方向長さＬ２となっている。
【００３０】
また、図３に示すように容器本体２２の軸方向一端側（図中左側）には、各アジテータ４１,４２や搬送スクリュー４３に駆動力を伝達する駆動伝達部５０が設けられている。駆動伝達部５０は、搬送スクリュー４３の一端に固定されたスクリューギヤ５２や、段ギヤ５１などを有している。スクリューギヤ５２は、第一ギヤ部５１ａと第二ギヤ部５１ｂとからなる段ギヤ５１の第二ギヤ部５１ｂに噛み合っている。
【００３１】
第二ギヤ部５１ｂからスクリューギヤ５２に駆動力が伝達されると、搬送スクリュー４３が回転駆動し、現像剤収容部８内のトナーが、第一羽部４３ａ１によりトナー供給口４４ｂへ向けて搬送される（図中矢印Ｂ１方向）。トナー搬送スクリューによりトナー供給口から現像剤搬送路へ供給されたトナーは、引き続き第一羽部４３ａ１により現像剤搬送路内をトナー補給口へ向けて搬送される（図中矢印Ｂ１方向）。そして、図中矢印Ｃに示すように、トナー補給口４４ａから落下して現像装置４へ補給される。
【００３２】
また、トナー補給口４４ａから落下しなかった一部のトナーは、第二羽部４３ａ２により、トナー補給口４４ａへ戻され（図中矢印Ｂ２方向）、トナー補給口４４ａへ落下する。現像装置４へのトナー補給量は、搬送スクリュー４３の駆動時間により制御される。このように本実施形態のトナーカートリッジ７は、現像装置４へ現像剤たるトナーを補給する補給装置としての機能を有している。
【００３３】
従来、現像剤搬送路４４の上部に、仕切り部４５が形成されていないトナーカートリッジがあった。このように上部に仕切り部４５を形成しない理由は次のとおりである。すなわち、現像装置内にトナーが補給されて現像装置内の現像剤の嵩が増したり、現像ローラの回転に伴って現像装置内に空気が取り込まれたりするなどして現像装置内の圧力（以下、装置内圧という）が高くなることがある。トナー補給口４４ａは、現像装置の内部と連通しているため、装置内圧が現像剤搬送路に及ぶ。現像剤搬送路４４の上部も塞がれており、現像剤搬送路の開口がトナー補給口４４ａとトナー供給口４４ｂのみの場合、現像剤搬送路内のトナーには、搬送スクリュー４３のトナー搬送圧力と、このトナー搬送力とは逆方向の装置内圧とがかかる。このように、現像剤搬送路４４内のトナーには、両側から互いに逆方向の圧力がかかるため、トナーに高い圧力がかかる。
【００３４】
トナーに高い圧力がかかると、トナー粒子同士が凝集しやすい物性のトナーを使用していたり、輸送による振動でトナーが固く締まっていたり、高温高湿環境で保管したトナーを使用したりする場合など、現像剤搬送部内でトナーが流れにくい状態の場合に、現像剤搬送路内でトナーの固まりができることがある。現像剤搬送路４４の上部に仕切り部４５を形成せずに、現像剤搬送路４４の上部を開放することで、現像剤搬送路内のトナーが、両側から互いに逆方向の圧力を受けた際は、上部の開放された部分から現像剤搬送路内のトナーの一部が還流し、現像剤搬送路内のトナーにかかる圧力を低減することができる。これにより、現像剤搬送路内でトナーの固まりができるのを防ぐことができる。
【００３５】
しかし、かかる従来構成においては、現像剤収容部内の現像剤の量が少なくなると、一回の補給動作により現像装置へ補給されるトナー補給量が規定のトナー補給量に対して１／３以下に減少するという課題が発生した。
【００３６】
本出願人は、次のような理由でトナー補給量が減少していると考えている。すなわち、現像剤収容部内が十分にトナーで満たされているときは、現像収容部内のトナーの高さに応じた圧力（以下、剤圧という）により、装置内圧が多少高まったくらいでは、現像剤搬送路の上部からトナーが還流することがない。しかし、現像剤収容部内のトナー量が減って剤圧が低下すると、装置内圧により現像剤搬送路内の多くのトナーが現像剤収容部へ還流する。その結果、トナー補給口４４ａから落下するトナー量が減少し、トナー補給量が減少したと考えている。
【００３７】
そこで、本出願人は、図４に示すトナーカートリッジ７を試作した。
図４に示す試作品は、現像剤搬送路４４の上部にも仕切り部４５を設けるとともに、仕切り部４５のトナー補給口４４ａよりも下流側に連通口４５ｄを設けたものである。仕切り部４５で現像剤搬送路４４の上部を塞ぐことで、現像剤収容部へのトナー還流を防げる。また、完全に仕切り部４５で現像剤搬送路４４の上部を塞いでしまうと、上述したように現像搬送路内でトナーが固まるおそれがある。そのため、トナー補給口４４ａよりも現像剤搬送下流に連通口４５ｄを設けて、現像剤搬送路内のトナーを適度に還流できるようにした。
【００３８】
しかしながら、この図４に示す試作品で実験を行ったところ、現像剤収容部８のトナーが少なくなったときのトナー補給量の減少を十分抑制できず、従来構成に比べて、１〜２割程度の改善効果しか得られなかった。
【００３９】
そこで、本出願人は、図５に示すように、トナー補給口４４ａの真上に連通口を設けたものや、トナー供給口４４ｂとトナー補給口４４ａとの間に連通口を設けたもの（本実施形態：図３参照）についても実験を行った。その結果、図３のトナー供給口４４ｂとトナー補給口４４ａとの間に連通口４５ｄを設けたものが、現像剤収容部のトナーが少なくなったときのトナー補給量の減少を最も抑制することができた。
【００４０】
本出願人は、次のような理由でトナー供給口４４ｂとトナー補給口４４ａとの間に連通口４５ｄを設けたものが、現像剤収容部内のトナーが少なくなったときのトナー補給量の減少を最も抑制することができたと考えている。
装置内圧が高くなると、現像剤搬送路内のトナーには、搬送スクリュー４３のトナー搬送方向とは逆方向の装置内圧が加わる。そのため、現像剤搬送路内のトナーは、トナー補給口４４ａへ向かって移動し難くなる。
【００４１】
現像剤収容部内のトナーの量が多いときは、トナー供給口４４ｂの搬送方向手前では、剤圧（トナーの高さに応じた圧力）が高いため、現像剤収容部内のトナーが移動し難くなっていても、搬送スクリューの搬送力で規定のトナーがトナー供給口４４ｂから供給され、トナー供給口４４ｂから供給されたトナーで現像剤搬送路内のトナーを装置内圧に抗して押し出すようにして移動させることができ、現像剤搬送路内でのトナーの移動量が減少しない。
【００４２】
しかし、現像剤収容部内のトナーの量が少なくなり、トナー供給口４４ｂの手前の剤圧が低下すると、搬送スクリュー４３によってトナー供給口４４ｂに搬送されるトナーの一部がトナー供給口４４ｂから現像剤搬送路４４へ入らず、現像剤収容部へ還流してしまう。その結果、トナー供給口４４ｂから供給されるトナー量が減り、トナー供給口４４ｂから供給されたトナーにより、現像搬送路内のトナーをトナー補給口４４ａへ向けて装置内圧に抗して押し出す効果も低下する。そのため、現像剤搬送路内のトナー補給口４４ａへの移動量が減る。その結果、一回の補給動作時間内でトナー補給口から落下するトナー量が減り、トナー補給量が減少すると考えている。
【００４３】
連通口４５ｄを設けることで、装置内圧が高まった際には、連通口４５ｄからトナーが現像剤収容部へ還流し、連通口４５ｄとトナー補給口４４ａとの間に隙間ができる。その隙間を通って現像装置内の空気が連通口４５ｄから排出されることで、現像剤搬送路内でのトナーにかかる圧力が低減し、トナーの移動し難さが低減されると考えられるが、図４に示した構成や図５に示す構成では、連通口４５ｄから現像装置内の空気が排出されることによる現像剤搬送路内のトナー移動し難さを十分に改善できなかったと考えられる。
【００４４】
図４に示した連通口４５ｄをトナー補給口４４ａよりも現像剤搬送方向下流側に設けたものの場合は、トナー補給口４４ａから現像剤搬送下流側の領域のトナーが、連通口４５ｄから還流し、トナー補給口４４ａから現像剤搬送下流側の領域で隙間ができ、現像装置内の空気は、図６の矢印Ｅ１に示すように流れる。このような隙間ができることで、トナー補給口４４ａよりも現像剤搬送下流側の領域でトナーが流れやすくなる。これにより、トナー補給口４４ａよりも現像剤搬送下流側の領域でトナーがトナー補給口４４ａへ向かって移動しやすくなる。
【００４５】
しかし、トナー補給口４４ａよりも現像剤搬送下流側の領域は、トナー補給口から落下しなかったトナーが移動してくるだけである。また、トナー補給口４４ａよりも現像剤搬送下流側の領域の第二羽部４３ａ２のピッチは、第一羽部４３ａ１のピッチよりも狭く、搬送スクリュー一回転当たりのトナー移動量も少ない。また、トナー補給口４４ａよりも現像剤搬送下流側の領域のトナー搬送方向は、トナー供給口４４ｂからトナー補給口４４ａの間のトナー搬送方向とは逆方向である。その結果、トナー供給口４４ｂからトナー補給口４４ａの間のトナーの移動し難さは、あまり改善されず、搬送スクリュー４３によってトナー供給口４４ｂに搬送されるトナーの一部が図中矢印Ｆに示すように、トナー供給口４４ｂから現像剤搬送路４４へ入らず、現像剤収容部へ還流してしまう。よって、連通口４５ｄをトナー補給口４４ａよりも現像剤搬送方向下流側に設けたものの場合は、一回の補給動作におけるトナー補給量の減少を十分に抑制できかったのではないかと考えている。
【００４６】
図５に示した連通口４５ｄをトナー補給口４４ａの真上に設けたものでは、トナー補給口４４ａ付近のトナーが連通口４５ｄへ還流し、現像装置内の空気は、図７の矢印Ｅ１に示すように流れる。トナー補給口４４ａ付近のトナーが連通口４５ｄへ還流することで、トナー補給口付近のトナー量が減少する。トナー補給口付近のトナー量が減少することで、上流側からトナーが流れ込んでくる。その結果、連通口４５ｄよりも上流側のトナーの移動し難さが徐々に改善されていく。しかしながら、図５に示す連通口４５ｄからトナー供給口４４ｂまでの距離が長いため、トナー供給口４４ｂからトナー補給口４４ａまでの全体の領域で、トナーの移動し難さが改善されるまで時間を要する。その結果、補給動作開始からトナー供給口４４ｂからトナー補給口４４ａまでの全体の領域で、トナーの移動し難さが改善されるまで時間がかかり、一回の補給動作時間におけるトナー補給量の減少を、十分に改善できなかったのではないかと考えている。
【００４７】
一方、連通口４５ｄを、トナー供給口４４ｂからトナー補給口４４ａの間に設けた本実施形態の場合は、現像剤収容部内のトナー量が少なくなったときの、トナー補給量の減少を２割程度に抑えることができた。２割程度の減少であれば、現像剤収納部のトナーが少なくなったときでも、ほぼ規定のトナー量を補給することが可能となる。
【００４８】
図８は、本実施形態における現像剤収容部のトナーが少なくなったときのトナーの補給と、現像装置から流れてきた空気の流れについて、説明する図である。
本実施形態においては、現像剤収容部８のトナーが少なくなったとき、装置内圧により連通口４５ｄから現像搬送路内のトナーが現像剤収容部８へ還流し、トナー補給口４４ａと連通口４５ｄとの間に現像装置内の空気が流れる隙間が生じる。その結果、現像装置内の空気は、図８の矢印Ｅ１に示すように流れる。このように現像装置内の空気が流れる隙間ができることで、トナー補給口４４ａから連通口４５ｄの間でトナーが移動しやすくなり、搬送スクリューの回転で、良好にトナーがトナー補給口４４ａへ移動しやすくなる。また、連通口４５ｄからトナーが還流して連通口付近のトナーが少なくなることで、上流側からトナーが流れ込んでくる。その結果、連通口４５ｄよりも上流側でのトナーの移動しやすさも徐々に改善されていく。本実施形態では、連通口４５ｄとトナー供給口４４ｂとの間の距離が、トナー補給口４４ａの真上に連通口４５ｄを設けたものに比べて短い。従って、短い時間で、トナー供給口４４ｂからトナー補給口４４ａまでの全体の領域で、トナーの移動し難さが改善される。このように、トナー補給動作開始後、比較的短い時間で、現像剤搬送内のトナー移動し難さが改善されることで、一回の補給動作におけるトナー補給量の減少を抑制できたのではないかと考えている。
【００４９】
また、連通口４５ｄの現像剤搬送方向下流側端部は、少なくともトナー補給口４４ａの現像剤搬送方向上流側端部よりも上流側に位置することが好ましい。これは、連通口４５ｄの現像剤搬送方向下流側端部が、トナー補給口４４ａの現像剤搬送方向上流側端部よりも下流側に位置し、連通口４５ｄの一部がトナー補給口４４ａの上方にあると、トナー補給口落下直前のトナーが、連通口から現像剤収容部へ還流してしまい、トナー補給量の減少に繋がるおそれがある。従って、連通口４５ｄの現像剤搬送方向下流側端部を、少なくともトナー補給口４４ａの現像剤搬送方向上流側端部よりも上流側に位置させることで、トナー補給量の減少を抑制できる。
【００５０】
また、連通口４５ｄの現像剤搬送方向上流側端部は、トナー供給口４４ｂよりも下流側に位置させ、連通方向と直交する方向は縁で囲われた穴形状であることが好ましい。これは、連通口４５ｄの現像剤搬送方向上流側端部がトナー供給口４４ｂに位置し、連通口４５ｄとトナー供給口４４ｂとが繋がった構成にすると、現像剤搬送路へ供給されるトナー量が管理し難くなり、搬送スクリューの駆動制御でトナー補給量を良好に制御することができなくなるからである。
【００５１】
また、連通口４５ｄが大きいと連通口４５ｄから還流するトナー量が多くなり、トナー補給量が減少するおそれがあるため、連通口４５ｄはあまり大きくしない方が好ましい。
【００５２】
また、図３に示すように、連通口４５ｄの現像剤搬送方向長さＬ２は、トナー補給口４４ａの現像剤搬送方向長さＬ１や、搬送スクリュー４３の第一羽部４３ａ１のピッチＰよりも短く（狭く）するのが好ましい。かかる構成とすることで、トナー供給口を通らずに、連通口４５ｄから直接、現像剤搬送路へ流れ込むトナーを減らすことができる。これにより、搬送スクリューの駆動制御でトナー補給量を良好に制御することができる。
【００５３】
また、本実施形態では、トナー補給口４４ａの現像剤搬送方向長さＬ１を、搬送スクリュー４３の第一羽部４３ａ１のピッチＰよりも短く（狭く）している。トナーカートリッジには、トナー補給口４４ａを開閉するシャッターが設けられており、トナーカートリッジ７が装置本体に装着されると、シャッターが開く構成となっている。トナー補給口４４ａの現像剤搬送方向長さＬ１を、搬送スクリュー４３の第一羽部４３ａ１のピッチＰよりも短く（狭く）することで、シャッターが開いたときにトナー補給口から落下するトナー量を抑えることができる。
【００５４】
また、本実施形態のトナーカートリッジ７は、現像剤収容部８と現像剤回収部９とを備えているが、現像剤回収部９は、別体でも差し支えない。
【００５５】
以上に説明したものは一例であり、次の態様毎に特有の効果を奏する。
（態様１）
トナーなどの現像剤を収納する現像剤収容部８と、現像剤収容部内の現像剤を現像装置４へ排出するトナー補給口４４ａなどの排出口と、現像剤収容部内の現像剤を前排出口へ搬送するための現像剤搬送路４４と、現像剤収容部内の現像剤を現像剤搬送路へ供給するトナー供給口４４ｂなどの供給口と、現像剤搬送路内に配置され、現像剤を排出口へ搬送する搬送スクリュー４３などの搬送部材と、現像剤搬送路４４と現像剤収容部８とを仕切る仕切り部４５などの仕切り部材と、仕切り部材に設けられ、現像剤搬送路４４と現像剤収容部８とを連通する連通口４５ｄと、を備えたトナーカートリッジ７などの現像剤収容容器において、連通口４５ｄを、排出口と供給口との間に設けた。
これによれば、上述したように、連通口を、排出口と供給口との間に設けることで、現像剤収容部内の現像剤量が少なくなったときの排出口から現像装置へ排出される現像剤量の減少を効果的に抑制することができる。
【００５６】
（態様２）
態様１において、連通口４５ｄは、連通方向と直交する方向が縁部で囲われた穴形状である。
これによれば、連通口４５ｄから現像剤が現像剤搬送路４４へ入り混んだり、連通口から還流する現像剤量が多くなったりするのを抑制することができる。
【００５７】
（態様３）
態様１または２において、連通口４５ｄの現像剤搬送方向長さが、トナー補給口４４ａなどの排出口の現像剤搬送方向長さよりも短い。
これによれば、実施形態で説明したように、連通口４５ｄから現像剤が現像剤搬送路４４へ入り混んだり、連通口から還流する現像剤量が多くなったりするのを抑制することができる。
【００５８】
（態様４）
態様１乃至３いずれかにおいて、搬送スクリュー４３などの搬送部材は、軸部４３ｂと少なくともトナー供給口４４ｂなどの供給口に供給された現像剤をトナー補給口４４ａなどの排出口へ搬送するための第一羽部４３ａ１などの螺旋状の羽部とを有しており、連通口の現像剤搬送方向長さが、羽部の１ピッチよりも短い。
これによれば、実施形態で説明したように、連通口４５ｄから現像剤が現像剤搬送路４４へ入り混んだり、連通口から還流する現像剤量が多くなったりするのを抑制することができる。
【００５９】
（態様５）
態様４において、第一羽部４３ａ１などの羽部の１ピッチは、トナー補給口４４ａなどの排出口の現像剤搬送方向長さよりも長く、排出口の現像剤搬送方向長さは、連通口４５ｄの現像剤搬送方向長さよりも長い。
これによれば、実施形態で説明したように、シャッターが開いたときにトナー補給口４４ａなどの排出口から落下する現像剤量を抑え、かつ、連通口４５ｄから現像剤が現像剤搬送路４４へ入り混んだり、連通口から還流する現像剤量が多くなったりするのを抑制することができる。
【００６０】
（態様６）
トナーカートリッジ７などの現像剤収容容器を備え、現像剤収容容器内の現像剤を現像装置に補給する現像剤補給装置において、現像剤収容容器として、態様１乃至５いずれかの現像剤収容容器を用いた。
これによれば、実施形態で説明したように、現像剤収容容器内の現像剤量が少なくなった際の現像装置４へ補給する現像剤量の減少を抑制することができる。
【００６１】
（態様７）
感光体２などの潜像担持体と、潜像担持体上の潜像を現像する現像装置４と、現像装置４に補給するトナーなどの現像剤を収容したトナーカートリッジ７などの現像剤収容容器とを備え、画像形成装置本体に対して着脱可能に構成されたプロセスカートリッジ１において、現像剤収容容器として、態様１乃至５いずれかの現像剤収容容器を用いた。
これによれば、現像剤収容容器内の現像剤量が少なくなった際の現像装置４へ補給する現像剤量の減少を抑制することができる。
【００６２】
（態様８）
感光体２などの潜像担持体と、潜像担持体上の潜像を現像する現像装置４と、現像装置４に補給するトナーなどの現像剤を収容したトナーカートリッジ７などの現像剤収容容器とを備えた画像形成装置において、現像剤収容容器として、態様１乃至５いずれかの現像剤収容容器を用いた。
これによれば、現像剤収容容器内の現像剤量が少なくなった際の現像装置４へ補給する現像剤量の減少を抑制することができる。
【符号の説明】
【００６３】
１        ：プロセスカートリッジ
２        ：感光体
４        ：現像装置
７        ：トナーカートリッジ
８        ：現像剤収容部
９        ：現像剤回収部
９ａ      ：搬入スクリュー
２２      ：容器本体
４１      ：第一アジテータ
４２      ：第二アジテータ
４３      ：搬送スクリュー
４３Ｂ    ：軸部
４３ａ１  ：第一羽部
４３ａ２  ：第二羽部
４３ｂ    ：軸部
４４      ：現像剤搬送路
４４ａ    ：トナー補給口
４４ｂ    ：トナー供給口
４５      ：仕切り部
４５ｄ    ：連通口
【先行技術文献】
【特許文献】
【００６４】
【特許文献１】特開２０１０−２０２２７号公報
【図１】
2020086132.tif 000003
【図２】
2020086132.tif 000004
【図３】
2020086132.tif 000005
【図４】
2020086132.tif 000006
【図５】
2020086132.tif 000007
【図６】
2020086132.tif 000008
【図７】
2020086132.tif 000009
【図８】
2020086132.tif 000010